(57)【要約】【課題】構成簡素で、製造し易く、小型、軽量、コンパクトで、強度、剛性が高く、量産し易く、コストを低減でき、汎用性に優れ、作動気体の流路を三次元的に構成でき、衝動力を効率良くバランス良く安定した回転力に変換できるタービン用羽根車を提供する。【解決手段】二種類以上のディスクブレードＡを交互に適数重ねて固着した羽根車本体と、ベースプレートＢと、回転軸Ｃとを備え、ディスクブレードＡの基板部１０には、一方の表面がわに膨出するプレス羽根部１１を複数設け、プレス羽根部１１の内部には凹部空間１２を形成し、プレス羽根部１１は、その膨出背部１１ａを隣設するディスクブレードＡの基板部１０の他方の表面に固着すると共に、隣設するディスクブレードＡのプレス羽根部１１の凹部空間１２に交差する向きに配し、作動気体の一部が、凹部空間１２内を移動すると共に、膨出背部１１ａを越えて回転方向前方に移動できるよう構成する。【選択図】図５
2010127211.tif 000002
【特許請求の範囲】
【請求項１】
噴出される適宜作動気体の衝動力によって回転するタービン用羽根車であって、プレス成型された二種類以上のディスクブレードを交互に適数重ねた状態でロウ付手段により固着してなる羽根車本体と、この羽根車本体が固着されるベースプレートと、このベースプレートに固定される回転軸とを備え、ディスクブレードは、略円環板状を呈する基板部を有し、この基板部には、その内周縁と外周縁とを適宜結ぶように配されると共に、その一方の表面がわに膨出して作動気体の衝動力を付与可能な細長なプレス羽根部を複数設け、このプレス羽根部の内部には、基板部の他方の表面がわが開放状態となるような凹部空間が形成され、プレス羽根部は、その最突出稜線部分となる膨出背部が、隣設するディスクブレードの基板部の他方の表面にロウ付手段により固着されると共に、隣設するディスクブレードのプレス羽根部の凹部空間に対して交差連通空間部１３を介して交差するように配され、プレス羽根部に衝動力を付与する作動気体の一部が、交差連通空間部１３を介して隣設するディスクブレードの凹部空間内を移動できるように構成すると共に、交差連通空間部１３に於けるプレス羽根部の膨出背部を越えて回転方向前方に移動できるように構成したことを特徴とするタービン用羽根車。
【請求項２】
一種類のディスクブレードのプレス羽根部は、基板部の内周縁から外周縁に向って放射方向に沿うように配置したことを特徴とする請求項１記載のタービン用羽根車。
【請求項３】
他種類のディスクブレードのプレス羽根部は、基板部の内周縁から外周縁に向う放射方向を基準として、外周縁に於ける位置が回転方向で後方に変位した向きに沿うように配置したことを特徴とする請求項１または請求項２記載のタービン用羽根車。
【請求項４】
他種類のディスクブレードのプレス羽根部は、基板部の内周縁から外周縁に向う放射方向を基準として、外周縁に於ける位置が回転方向で前方に変位した向きに沿うように配置したことを特徴とする請求項１または請求項２記載のタービン用羽根車。
【請求項５】
一種類の或いは他種類のディスクブレードは、基板部の内周縁が他種類の或いは一種類のディスクブレードの内周縁より大径となるように構成したことを特徴とする請求項１乃至請求項４いずれか記載のタービン用羽根車。
【請求項６】
一種類の或いは他種類のディスクブレードは、基板部の外周縁が他種類の或いは一種類のディスクブレードの外周縁より小径となるように構成したことを特徴とする請求項１乃至請求項４いずれか記載のタービン用羽根車。
【発明の詳細な説明】
【技術分野】
【０００１】
本発明は、主に、ケーシング内に回転自在に内装されると共に、ケーシングの入口から高速で噴出される膨張させた適宜作動気体（例えば、熱媒体となるフロンガス等）の衝動力を複数の羽根部が受けることにより回転し、この回転力を利用して発電機等を駆動せしめられるようにしたタービン用羽根車に係り、特に、作動気体の衝動力を効率良く利用して、バランス良く安定した回転力を発生できるようにすると共に、簡素な構成で、製造し易く、小型、軽量、コンパクトに構成でき、量産に適し、コストの大幅な低減が図れ、汎用性に優れ、経済的となるように工夫したタービン用羽根車に関するものである。
【背景技術】
【０００２】
従来、この種のタービン用羽根車としては種々のものが提供されており、例えば、特許文献１の従来例として図示されているように、多数の羽根（翼）夫々に、複雑な三次元的湾曲加工が施されたものがある。すなわち、作動気体の衝動力を回転力に高効率で変換できるようにしたものである。
また、特許文献２に示すように冷凍サイクル用タービンのタービン翼が開示されており、これは、冷凍サイクル内の膨張後の高速を利用して動力を取出すために、冷凍サイクル内に組込むタービンの内部に組込むタービン翼車において、該翼車を略円板形状より成し、さらに該円板外周部に複数の突起を形成（例えば、プレス加工によって形成）し翼としたものである。
【０００３】
【特許文献１】特開２００３−２０１８０２（図６）
【特許文献２】特開昭５８−１４０４０４号
【発明の開示】
【発明が解決しようとする課題】
【０００４】
ところが、従来の（例えば、前者の如き）タービン用羽根車にあっては、多数の羽根（翼）夫々を複雑な三次元的湾曲状態に形成するために多数の加工工程を経なければならず、このようにして製造されたタービン用羽根車はかなりのコスト高となってしまい、低廉に提供することが困難となっている。
また、従来の（例えば、後者の如き）冷凍サイクル用タービンのタービン翼にあっては、比較的単純な翼しか形成できず、作動気体の衝動力を回転力に効率良く変換することが難しい等の難点があった。
【課題を解決するための手段】
【０００５】
そこで、本発明は前述の如き難点等を解消すると共に、作動気体の衝動力を回転力に効率良く変換でき、バランス良く安定した回転力が得られ、しかも、簡素な構成で、製造し易く、小型、軽量、コンパクトに構成でき、量産に適し、コストの大幅な低減が図れ、汎用性に優れ、経済的なものを提供できるようにすべく創出されたもので、請求項１記載のタービン用羽根車にあっては、噴出される適宜作動気体の衝動力によって回転するタービン用羽根車であって、プレス成型された二種類以上のディスクブレードＡを交互に適数重ねた状態でロウ付手段により固着してなる羽根車本体と、この羽根車本体が固着されるベースプレートＢと、このベースプレートＢに固定される回転軸Ｃとを備え、ディスクブレードＡは、略円環板状を呈する基板部１０を有し、この基板部１０には、その内周縁と外周縁とを適宜結ぶように配されると共に、その一方の表面がわに膨出して作動気体の衝動力を付与可能な細長なプレス羽根部１１を複数設け、このプレス羽根部１１の内部には、基板部１０の他方の表面がわが開放状態となるような凹部空間１２が形成され、プレス羽根部１１は、その最突出稜線部分となる膨出背部１１ａが、隣設するディスクブレードＡの基板部１０の他方の表面にロウ付手段により固着されると共に、隣設するディスクブレードＡのプレス羽根部１１の凹部空間１２に対して交差連通空間部１３を介して交差するように配され、プレス羽根部１１に衝動力を付与する作動気体の一部が、交差連通空間部１３を介して隣設するディスクブレードＡの凹部空間１２内を移動できるように構成すると共に、交差連通空間部１３に於けるプレス羽根部１１の膨出背部１１ａを越えて回転方向前方に移動できるように構成する手段を採用した。
【０００６】
また、請求項２記載のタービン用羽根車にあっては、一種類のディスクブレードＡのプレス羽根部１１は、基板部１０の内周縁から外周縁に向って放射方向に沿うように配置する手段を採用した。
【０００７】
更に、請求項３記載のタービン用羽根車にあっては、他種類のディスクブレードＡのプレス羽根部１１は、基板部１０の内周縁から外周縁に向う放射方向を基準として、外周縁に於ける位置が回転方向で後方に変位した向きに沿うように配置する手段を採用した。
【０００８】
そして、請求項４記載のタービン用羽根車にあっては、他種類のディスクブレードＡのプレス羽根部１１は、基板部１０の内周縁から外周縁に向う放射方向を基準として、外周縁に於ける位置が回転方向で前方に変位した向きに沿うように配置する手段を採用した。
【０００９】
それから、請求項５記載のタービン用羽根車にあっては、一種類の或いは他種類のディスクブレードＡは、基板部１０の内周縁が他種類の或いは一種類のディスクブレードＡの内周縁より大径となるように構成する手段を採用した。
【００１０】
加えて、請求項６記載のタービン用羽根車にあっては、一種類の或いは他種類のディスクブレードＡは、基板部１０の外周縁が他種類の或いは一種類のディスクブレードＡの外周縁より小径となるように構成する手段を採用した。
【発明の効果】
【００１１】
従って、本発明の請求項１記載のタービン用羽根車によれば、プレス成型された二種類以上のディスクブレードＡを交互に適数重ねた状態でロウ付手段により固着してなる羽根車本体と、この羽根車本体が固着されるベースプレートＢと、このベースプレートＢに固定される回転軸Ｃとを備えるもので、簡素な構成で、製造し易く、小型、軽量、コンパクトに構成できるようになる。
しかも、ディスクブレードＡ自体を簡単に量産でき、コストの大幅な低減が図れるようになり、経済的なタービン用羽根車を提供できるようになる。
更に、ディスクブレードＡ自体は、その内周縁と外周縁とを適宜結ぶような複数のプレス羽根部１１を設けることで、その強度及び剛性を増すことができるようになる。加えて、プレス羽根部１１の膨出背部１１ａが、隣設するディスクブレードＡのプレス羽根部１１の凹部空間１２に対して交差するように配してロウ付手段により固着されるので、羽根車本体全体の強度及び剛性を高めることができるようになる。ひいては、ディスクブレードＡとして薄い板材を利用できるようになり、より軽量なタービン用羽根車の提供も可能となる。
そして、プレス羽根部１１は、隣設するディスクブレードＡのプレス羽根部１１の凹部空間１２に対して交差連通空間部１３を介して交差するように配されることと、羽根車本体は、二種類以上のディスクブレードＡを交互に適数重ねた状態でロウ付手段により固着されることとにより、作動気体の衝動力によって受ける力が、二種類以上のディスクブレードＡのプレス羽根部１１夫々にあってはその作用が異なるようになり、羽根車本体をバランス良く、安定して回転させることができるようになる。しかも、回転している羽根車本体のプレス羽根部１１夫々は、作動気体の吹付け向きに対して常時その向きが変化することとなるが、どのような回転位置にあっても作動気体の衝動力を比較的平均して受けられるようになり、羽根車本体に与えられる衝動力のバラつきや、ムラ等を抑制でき、羽根車本体をバランス良く、安定して回転させるのに役立つようになる。
【００１２】
特に、ディスクブレードＡは、略円環板状を呈する基板部１０を有し、この基板部１０には、その内周縁と外周縁とを適宜結ぶように配されると共に、その一方の表面がわに膨出して作動気体の衝動力を付与可能な細長なプレス羽根部１１を複数設け、このプレス羽根部１１の内部には、基板部１０の他方の表面がわが開放状態となるような凹部空間１２が形成され、プレス羽根部１１は、その最突出稜線部分となる膨出背部１１ａが、隣設するディスクブレードＡの基板部１０の他方の表面にロウ付手段により固着されると共に、隣設するディスクブレードＡのプレス羽根部１１の凹部空間１２に対して交差連通空間部１３を介して交差するように配され、プレス羽根部１１に衝動力を付与する作動気体の一部が、交差連通空間部１３を介して隣設するディスクブレードＡの凹部空間１２内を移動できるように構成すると共に、交差連通空間部１３に於けるプレス羽根部１１の膨出背部１１ａを越えて回転方向前方に移動できるように構成したので、作動気体の衝動力に対する作用が異なる二種類以上のディスクブレードＡを適宜組合せて構成することが可能となり、作動気体の衝動力により羽根車本体全体としてバランス良く、より安定した回転力が得られるようになる。更に、その用途や目的等に応じた回転力が得られるタービン用羽根車をディスクブレードＡの組合せパターンを変えることで比較的簡単に構成できるようになる。ひいては、汎用性に優れたタービン用羽根車を簡単に且つ低コストで提供できるようになる。
加えて、プレス羽根部１１に衝動力を付与する作動気体の一部は、交差連通空間部１３を介して隣設するディスクブレードＡの凹部空間１２内を移動すると共に、交差連通空間部１３に於けるプレス羽根部１１の膨出背部１１ａを越えて回転方向前方に移動するようになり、作動気体の流路を三次元的に構成でき、作動気体の衝動力をより効率良く回転力に変換することが可能となる。
しかも、プレス羽根部１１に衝動力を付与する作動気体の一部は、交差連通空間部１３に於けるプレス羽根部１１の膨出背部１１ａを越えて回転方向前方のプレス羽根部１１の負圧面がわに移動するようになり、これがプレス羽根部１１に加えられる負圧の解消圧として作用するようになり、回転力が増すようになる。
【００１３】
また、本発明の請求項２記載のタービン用羽根車によれば、一種類のディスクブレードＡのプレス羽根部１１は、基板部１０の内周縁から外周縁に向って放射方向に沿うように配置したので、作動気体によって回転トルクを増すような割合が多い衝動力を受けることが可能なディスクブレードＡとなる。
【００１４】
更に、本発明の請求項３記載のタービン用羽根車によれば、他種類のディスクブレードＡのプレス羽根部１１は、基板部１０の内周縁から外周縁に向う放射方向を基準として、外周縁に於ける位置が回転方向で後方に変位した向きに沿うように配置したので、作動気体によって回転速度を増すような割合が多い衝動力を受けることが可能なディスクブレードＡとなる。
【００１５】
そして、本発明の請求項４記載のタービン用羽根車によれば、他種類のディスクブレードＡのプレス羽根部１１は、基板部１０の内周縁から外周縁に向う放射方向を基準として、外周縁に於ける位置が回転方向で前方に変位した向きに沿うように配置したので、作動気体によって回転速度を増すような割合が多い衝動力を受けることが可能なディスクブレードＡとなる。
【００１６】
それから、本発明の請求項５記載のタービン用羽根車によれば、一種類の或いは他種類のディスクブレードＡは、基板部１０の内周縁が他種類の或いは一種類のディスクブレードＡの内周縁より大径となるように構成したので、隣設する他種類の或いは一種類のディスクブレードＡの基板部１０の内周縁相互の空間部分に、一種類の或いは他種類のディスクブレードＡの基板部１０の内周縁部分が存在しなくなり、この空間部分に於ける作動気体の通過抵抗が低減されるようになり、作動気体によってタービン用羽根車に与えられる回転エネルギーの損失を低減できるようになる。
【００１７】
加えて、本発明の請求項６記載のタービン用羽根車によれば、一種類の或いは他種類のディスクブレードＡは、基板部１０の外周縁が他種類の或いは一種類のディスクブレードＡの外周縁より小径となるように構成したので、隣設する他種類の或いは一種類のディスクブレードＡの基板部１０の外周縁相互の空間部分に、一種類の或いは他種類のディスクブレードＡの基板部１０の外周縁部分が存在しなくなり、この空間部分に於ける作動気体の通過抵抗が低減されるようになり、作動気体によってタービン用羽根車に与えられる回転エネルギーの損失を低減できるようになる。
【発明を実施するための最良の形態】
【００１８】
以下、本発明を図示例に基づいて説明すると、次の通りである。
本発明は、入口３０と排出口３１とを備えた適宜ケーシングＤ内に回転自在に内装されると共に、ケーシングＤの入口３０から高速で噴出される膨張させた適宜作動気体（例えば、熱媒体となるフロンガス等）の衝動力を複数のプレス羽根部１１が受けることにより回転し、この回転力を利用して発電機等を駆動せしめられるようにしたタービン用羽根車である。
そして、このタービン用羽根車は、プレス成型された二種類以上のディスクブレードＡを交互に適数重ねた状態でロウ付手段により固着してなる羽根車本体と、この羽根車本体が固着されるベースプレートＢと、このベースプレートＢに固定される回転軸Ｃとを備えたものである。
しかも、ディスクブレードＡは、略円環板状を呈する基板部１０を有し、この基板部１０には、その内周縁と外周縁とを適宜結ぶように配されると共に、その一方の表面がわに膨出して作動気体の衝動力を付与可能な細長なプレス羽根部１１を複数設け、このプレス羽根部１１の内部には、基板部１０の他方の表面がわが開放状態となるような凹部空間１２が形成されている。
更に、プレス羽根部１１は、その最突出稜線部分となる膨出背部１１ａが、隣設するディスクブレードＡの基板部１０の他方の表面に固着されると共に、隣設するディスクブレードＡのプレス羽根部１１の凹部空間１２に対して交差連通空間部１３を介して交差するように配され、プレス羽根部１１に衝動力を付与する作動気体の一部が、交差連通空間部１３を介して隣設するディスクブレードＡの凹部空間１２内を移動できるように構成すると共に、交差連通空間部１３に於けるプレス羽根部１１の膨出背部１１ａを越えて回転方向前方に移動できるように構成してある。
また、一種類のディスクブレードＡのプレス羽根部１１は、基板部１０の内周縁から外周縁に向って放射方向に沿うように配置してある。
更に、他種類のディスクブレードＡのプレス羽根部１１は、基板部１０の内周縁から外周縁に向う放射方向を基準として、外周縁に於ける位置が回転方向で後方に変位した向きに沿うように配置してある。
そして、他種類のディスクブレードＡのプレス羽根部１１は、基板部１０の内周縁から外周縁に向う放射方向を基準として、外周縁に於ける位置が回転方向で前方に変位した向きに沿うように配置してある。
【実施例】
【００１９】
前記タービン用羽根車で用いられるディスクブレードＡは、例えば、比較的薄い円環板状を呈する耐食性の優れた適宜金属製（例えば、ステンレス）のディスク基板によって構成されるものである。更に、ディスク基板に多数のプレス羽根部１１を一回（或いは複数回でも良い）のプレス加工によって設けると共に、多数のプレス羽根部１１がディスク基板の一方の表面がわに膨出するように構成されたものである。しかも、プレス羽根部１１は、ディスク基板の内周縁から外周縁に亙って形成されている。尚、ディスク基板のプレス加工によってプレス羽根部１１とならなかった部分が基板部１０となり、膨出されたプレス羽根部１１の内部が凹部空間１２となり、プレス羽根部１１の最突出稜線部分が膨出背部１１ａとなっている。
更に、ディスクブレードＡは、プレス羽根部１１の寸法や形状や数や配設状態や基板部１０の寸法等を変更した二種類以上のものが形成されるようになり、これらのディスクブレードＡを適宜選択すると共に、交互に適数重ねた状態で固着することにより、ディスクブレードＡの組合せパターンの異なる羽根車本体を自由に構成することができる。
【００２０】
そして、図示例のディスクブレードＡ夫々について説明すると、先ず、図３（及び図２）のディスクブレードＡ（Ａ１）は、複数（例えば、２４個）のプレス羽根部１１が、基板部１０の内周縁から外周縁に向って放射方向に沿うように配置して構成されたものである。
【００２１】
また、図４（及び図２）のディスクブレードＡ（Ａ２）は、複数（例えば、２４個）のプレス羽根部１１が、基板部１０の内周縁から外周縁に向う放射方向を基準として、外周縁に於ける位置が回転方向で前方に変異した向きに沿うように配置して（或いは、回転方向で後方に変異した向きに沿うように配置したものでも良い）構成されたものである。
【００２２】
更に、図９のディスクブレードＡ（Ａ４）は、複数（例えば、１２個）のプレス羽根部１１が、基板部１０の内周縁から外周縁に向って放射方向に沿うように配置して構成されたものである。
【００２３】
そして、図１０のディスクブレードＡ（Ａ５）は、複数（例えば、１２個）のプレス羽根部１１が、基板部１０の内周縁から外周縁に向う放射方向を基準として、外周縁に於ける位置が回転方向で前方（或いは後方でも良い）に変異した向きに沿うように配置して構成されたものである。
【００２４】
それから、図１１のディスクブレードＡ（Ａ６）は、基板部１０の内周縁が他のディスクブレードＡの内周縁より大径となり、複数（例えば、１２個）のプレス羽根部１１が、基板部１０の内周縁から外周縁に向う放射方向に沿うように配置して構成されたものである。
【００２５】
加えて、図１２のディスクブレードＡ（Ａ７）は、基板部１０の外周縁が他のディスクブレードＡの外周縁より小径となり、複数（例えば、１２個）のプレス羽根部１１が、基板部１０の内周縁から外周縁に向う放射方向に沿うように配置して構成されたものである。
【００２６】
また、前述の如きディスクブレードＡを利用して構成される羽根車本体は、二種類以上のディスクブレードＡを交互に適数重ねた状態でロウ付手段により固着して構成される。
具体的には、図５に示す羽根車本体は、前記図３のディスクブレードＡ（Ａ１）と前記図４のディスクブレードＡ（Ａ２）とを交互に重ねた状態でロウ付手段により固着して構成されたものである。更に、プレス羽根部１１の最突出稜線部分となる膨出背部１１ａが、隣設するディスクブレードＡの基板部１０の他方の表面に固着されるときに、隣設するディスクブレードＡのプレス羽根部１１の凹部空間１２に対して交差連通空間部１３を介して交差するように配され、しかも、一つのプレス羽根部１１に対して交差連通空間部１３が二箇所宛設けられるように構成されたものである。すなわち、羽根車本体全体に於ける強度、剛性が増し、耐久性の優れたものとなる。更に、交差連通空間部１３によって作動気体をより複雑に導くことができるようになり、羽根車本体により優れた（例えば、バランスが良く、効率が良く、エネルギーロスの少ない）回転力を与えられるように形成されている。
【００２７】
加えて、前記交差連通空間部１３では、プレス羽根部１１に衝動力を付与する作動気体の一部が、隣設するディスクブレードＡの凹部空間１２内を移動できるようになると共に、プレス羽根部１１の膨出背部１１ａを越えて回転方向前方に移動できるように構成されている。
【００２８】
前記ベースプレートＢは、例えば、その中央に回転軸Ｃの取付孔１５が穿設された金属製の厚肉円盤状に形成され、羽根車本体の基端面部分にロウ付手段によって固着されている。
【００２９】
図中Ｂ１は、羽根車本体の先端面部分にロウ付手段によって固着される先端プレートで、この先端プレートＢ１は、適宜金属材によって略円環板状に形成され、羽根車本体の先端面部分の強度や剛性が高められるように設けられている。
【００３０】
前記回転軸Ｃは、ケーシングＤやケーシングＤに連設される発電機部分のケース等に回転自在に装着されており（図１参照）、ロス無くスムーズに回転できると共に羽根車本体を安定的に支持できるように構成されている。尚、回転軸Ｃの先端部分には雄ネジ部が形成されており、この雄ネジ部に螺着可能な取付ナット２０によって羽根車本体が回転軸Ｃに確実に且つ簡単に固定できるように構成されている。
【００３１】
前記ディスクブレードＡ相互やベースプレートＢや先端プレートＢ１を固着するロウ付手段は、例えば、ディスクブレードＡ（ステンレス製）やベースプレートＢや先端プレートＢ１より融点の低い金属バインダー材（例えば、銅やニッケル等）だけを溶解させ、これを溶融接着剤としてディスクブレードＡ相互やベースプレートＢや先端プレートＢ１を確実に固着できるような手段が採用されている。
尚、複数のディスクブレードＡを重ねた状態に固着する際は、例えば、積層されるディスクブレードＡの間にディスクブレードＡより融点の低い銅箔等のバインダー材を積層し、これらを真空中で加熱することにより、バインダー材を溶融させ、複数のディスクブレードＡ相互の接触部分（隣設するディスクブレードＡに於いて、プレス羽根部１１の膨出背部１１ａと基板部１０の他方の表面）が溶融したバインダー材によって簡単に且つ確実に真空ロウ付けできるようになる。ところで、この手段は、ベースプレートＢや先端プレートＢ１を羽根車本体に固着する際にも利用される。
【００３２】
また、図１３及び図１５に示す羽根車本体は、前記図１１のディスクブレードＡ（Ａ６）と前記図１０のディスクブレードＡ（Ａ５）とを交互に重ねた状態でロウ付手段により固着して構成されたもので、これは、ディスクブレードＡ（Ａ６）の基板部１０の内周縁がディスクブレードＡ（Ａ５）の内周縁より大径となり、隣設するディスクブレードＡ（Ａ５）の基板部１０の内周縁相互の空間部分に、ディスクブレードＡ（Ａ６）の基板部１０の内周縁部分が存在しなくなり、この空間部分に於ける作動気体の通過抵抗が低減されるように構成して、作動気体によってタービン用羽根車に与えられる回転エネルギーの損失を低減できるように形成したものである。
【００３３】
更に、図１４及び図１６に示す羽根車本体は、前記図１２のディスクブレードＡ（Ａ７）と前記図１０のディスクブレードＡ（Ａ５）とを交互に重ねた状態でロウ付手段により固着して構成されたもので、これは、ディスクブレードＡ（Ａ７）の基板部１０の外周縁がディスクブレードＡ（Ａ５）の外周縁より小径となり、隣設するディスクブレードＡ（Ａ５）の基板部１０の外周縁相互の空間部分に、ディスクブレードＡ（Ａ７）の基板部１０の外周縁部分が存在しなくなり、この空間部分に於ける作動気体の通過抵抗が低減されるように構成して、作動気体によってタービン用羽根車に与えられる回転エネルギーの損失を低減できるように形成したものである。
【００３４】
前記ケーシングＤは、例えば、作動気体が吹き込まれる入口３０と、作動気体が排出される排出口３１とを備えたものが採用される。しかも、入口３０は、ケーシングＤの外周壁部分に開口され、排出口３１は、ケーシングＤの一方の側壁部分中央に開口されている。尚、ケーシングＤの入口３０に於いて、作動気体が吹き込まれる角度等は適宜自由に設定、変更することができるものである。
【００３５】
ところで、タービン用羽根車の具体的構成、形状、寸法、材質、ディスクブレードＡ、Ａ１、Ａ２、Ａ４、Ａ５、Ａ６、Ａ７の具体的構成、形状、寸法、材質、数、組合せ、基板部１０の具体的構成、形状、寸法、プレス羽根部１１の具体的構成、形状、寸法、配設位置、数、膨出背部１１ａの具体的形状、寸法、配設位置、凹部空間１２の具体的構成、形状、寸法、交差連通空間部１３の具体的構成、形状、寸法、配設位置、数、ベースプレートＢの具体的構成、形状、寸法、材質、取付孔１５の具体的構成、形状、寸法、配設位置、先端プレートＢ１の具体的構成、形状、寸法、材質、配設位置、回転軸Ｃの具体的構成、形状、寸法、材質、取付ナット２０の具体的構成、形状、寸法、材質、ケーシングＤの具体的構成、形状、寸法、材質、入口３０の具体的構成、形状、寸法、数、配設位置、排出口３１の具体的構成、形状、寸法、配設位置等は図示例のもの等に限定されることなく適宜自由に設定、変更できるものである。
【００３６】
本発明のタービン用羽根車は、前述の如く構成されており、例えば、ケーシングＤの入口３０から膨張させた適宜作動気体を高速で噴出せしめることにより、作動気体の衝動力が複数のプレス羽根部１１に作用してタービン用羽根車に回転力を発生させ、この回転力によって発電機等を駆動せしめられるように利用している。
しかしながら、本発明のタービン用羽根車は、前述のような使用例だけに限定されるものではなく、例えば、タービン用羽根車の回転軸Ｃにモーター等の適宜原動機を連結し、この原動機の回転力によってタービン用羽根車を強制回転せしめられるように形成して、遠心送風機の羽根車や、ポンプの羽根車としても利用することが可能なものである。
【図面の簡単な説明】
【００３７】
【図１】本発明のタービン用羽根車をケーシングに組込んだ状態を例示する一部切欠概略側面図である。
【図２】本発明のタービン用羽根車を例示する一部を省略した部分分解斜視図である。
【図３】本発明のタービン用羽根車のディスクブレードを例示する正面図である。
【図４】本発明のタービン用羽根車の他のディスクブレードを例示する正面図である。
【図５】本発明のタービン用羽根車の羽根車本体を例示する概略正面図である。
【図６】本発明のタービン用羽根車を例示する一部省略側断面図である。
【図７】本発明のタービン用羽根車の交差連通空間部を例示する部分概略正面図である。
【図８】本発明のタービン用羽根車の部分端面図を示し、（Ｉ）は交差連通空間部での部分端面図、（ＩＩ）は交差連通空間部以外での部分端面図である。
【図９】本発明のタービン用羽根車の他のディスクブレードを例示する正面図である。
【図１０】本発明のタービン用羽根車の他のディスクブレードを例示する正面図である。
【図１１】本発明のタービン用羽根車の他のディスクブレードを例示する正面図である。
【図１２】本発明のタービン用羽根車の他のディスクブレードを例示する正面図である。
【図１３】本発明の他のタービン用羽根車の羽根車本体を例示する概略正面図である。
【図１４】本発明の他のタービン用羽根車の羽根車本体を例示する概略正面図である。
【図１５】本発明の他のタービン用羽根車の一部を例示する概略側断面図である。
【図１６】本発明の他のタービン用羽根車の一部を例示する概略側断面図である。
【符号の説明】
【００３８】
Ａ      ディスクブレード
Ａ１    ディスクブレード
Ａ２    ディスクブレード
Ａ４    ディスクブレード
Ａ５    ディスクブレード
Ａ６    ディスクブレード
Ａ７    ディスクブレード
１０    基板部
１１    膨出羽根部
１１ａ  膨出背部
１２    凹部空間
１３    交差連通空間部１３
Ｂ      ベースプレート
Ｂ１    先端プレート
１５    取付孔
Ｃ      回転軸
２０    取付ナット
Ｄ      ケーシング
３０    入口
３１    排出口
【図１】
2010127211.tif 000003
【図２】
2010127211.tif 000004
【図３】
2010127211.tif 000005
【図４】
2010127211.tif 000006
【図５】
2010127211.tif 000007
【図６】
2010127211.tif 000008
【図７】
2010127211.tif 000009
【図８】
2010127211.tif 000010
【図９】
2010127211.tif 000011
【図１０】
2010127211.tif 000012
【図１１】
2010127211.tif 000013
【図１２】
2010127211.tif 000014
【図１３】
2010127211.tif 000015
【図１４】
2010127211.tif 000016
【図１５】
2010127211.tif 000017
【図１６】
2010127211.tif 000018
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
噴出される作動気体の衝動力によって回転するタービン用羽根車であって、プレス成型された二種類以上のディスクブレードを交互に複数重ねた状態でロウ付手段により固着してなる羽根車本体と、この羽根車本体が固着されるベースプレートと、このベースプレートに固定される回転軸とを備え、ディスクブレードは、円環板状を呈する基板部を有し、この基板部には、その内周縁と外周縁とを適宜結ぶように配されると共に、その一方の表面側に膨出して作動気体の衝動力を付与可能な細長なプレス羽根部を複数設け、このプレス羽根部の内部には、基板部の他方の表面側が開放状態となるような凹部空間が形成され、プレス羽根部は、その最突出稜線部分となる膨出背部が、隣設するディスクブレードの基板部の他方の表面にロウ付手段により固着されると共に、隣設するディスクブレードのプレス羽根部の凹部空間に対して交差連通空間部を介して交差するように配され、プレス羽根部に衝動力を付与する作動気体の一部が、交差連通空間部を介して隣設するディスクブレードの凹部空間内を移動できるように構成すると共に、交差連通空間部に於けるプレス羽根部の膨出背部を越えて回転方向前方に移動できるように構成したことを特徴とするタービン用羽根車。
【請求項２】
一種類のディスクブレードのプレス羽根部は、基板部の内周縁から外周縁に向って放射方向に沿うように配置したことを特徴とする請求項１記載のタービン用羽根車。
【請求項３】
他種類のディスクブレードのプレス羽根部は、基板部の内周縁から外周縁に向う放射方向を基準として、外周縁に於ける位置が回転方向で後方に変位した向きに沿うように配置したことを特徴とする請求項１または請求項２記載のタービン用羽根車。
【請求項４】
他種類のディスクブレードのプレス羽根部は、基板部の内周縁から外周縁に向う放射方向を基準として、外周縁に於ける位置が回転方向で前方に変位した向きに沿うように配置したことを特徴とする請求項１または請求項２記載のタービン用羽根車。
【請求項５】
一種類のディスクブレードは、基板部の内周縁が他種類のディスクブレードの内周縁より大径であること、または、他種類のディスクブレードは、基板部の内周縁が一種類のディスクブレードの内周縁より大径であることを特徴とする請求項１乃至請求項４いずれか記載のタービン用羽根車。
【請求項６】
一種類のディスクブレードは、基板部の外周縁が他種類のディスクブレードの外周縁より小径であること、または、他種類のディスクブレードは、基板部の外周縁が一種類のディスクブレードの外周縁より小径であることを特徴とする請求項１乃至請求項４いずれか記載のタービン用羽根車。
【手続補正２】
【補正対象書類名】明細書
【補正対象項目名】全文
【補正方法】変更
【補正の内容】
【発明の詳細な説明】
【技術分野】
【０００１】
本発明は、主に、ケーシング内に回転自在に内装されると共に、ケーシングの入口から高速で噴出される膨張させた適宜作動気体（例えば、熱媒体となるフロンガス等）の衝動力を複数の羽根部が受けることにより回転し、この回転力を利用して発電機等を駆動せしめられるようにしたタービン用羽根車に係り、特に、作動気体の衝動力を効率良く利用して、バランス良く安定した回転力を発生できるようにすると共に、簡素な構成で、製造し易く、小型、軽量、コンパクトに構成でき、量産に適し、コストの大幅な低減が図れ、汎用性に優れ、経済的となるように工夫したタービン用羽根車に関するものである。
【背景技術】
【０００２】
従来、この種のタービン用羽根車としては種々のものが提供されており、例えば、特許文献１の従来例として図示されているように、多数の羽根（翼）夫々に、複雑な三次元的湾曲加工が施されたものがある。すなわち、作動気体の衝動力を回転力に高効率で変換できるようにしたものである。
また、特許文献２に示すように冷凍サイクル用タービンのタービン翼が開示されており、これは、冷凍サイクル内の膨張後の高速を利用して動力を取出すために、冷凍サイクル内に組込むタービンの内部に組込むタービン翼車において、該翼車を略円板形状より成し、さらに該円板外周部に複数の突起を形成（例えば、プレス加工によって形成）し翼としたものである。
【０００３】
【特許文献１】特開２００３−２０１８０２（図６）
【特許文献２】特開昭５８−１４０４０４号
【発明の開示】
【発明が解決しようとする課題】
【０００４】
ところが、従来の（例えば、前者の如き）タービン用羽根車にあっては、多数の羽根（翼）夫々を複雑な三次元的湾曲状態に形成するために多数の加工工程を経なければならず、このようにして製造されたタービン用羽根車はかなりのコスト高となってしまい、低廉に提供することが困難となっている。
また、従来の（例えば、後者の如き）冷凍サイクル用タービンのタービン翼にあっては、比較的単純な翼しか形成できず、作動気体の衝動力を回転力に効率良く変換することが難しい等の難点があった。
【課題を解決するための手段】
【０００５】
そこで、本発明は前述の如き難点等を解消すると共に、作動気体の衝動力を回転力に効率良く変換でき、バランス良く安定した回転力が得られ、しかも、簡素な構成で、製造し易く、小型、軽量、コンパクトに構成でき、量産に適し、コストの大幅な低減が図れ、汎用性に優れ、経済的なものを提供できるようにすべく創出されたもので、請求項１記載のタービン用羽根車にあっては、噴出される作動気体の衝動力によって回転するタービン用羽根車であって、プレス成型された二種類以上のディスクブレードＡを交互に複数重ねた状態でロウ付手段により固着してなる羽根車本体と、この羽根車本体が固着されるベースプレートＢと、このベースプレートＢに固定される回転軸Ｃとを備え、ディスクブレードＡは、円環板状を呈する基板部１０を有し、この基板部１０には、その内周縁と外周縁とを適宜結ぶように配されると共に、その一方の表面側に膨出して作動気体の衝動力を付与可能な細長なプレス羽根部１１を複数設け、このプレス羽根部１１の内部には、基板部１０の他方の表面側が開放状態となるような凹部空間１２が形成され、プレス羽根部１１は、その最突出稜線部分となる膨出背部１１ａが、隣設するディスクブレードＡの基板部１０の他方の表面にロウ付手段により固着されると共に、隣設するディスクブレードＡのプレス羽根部１１の凹部空間１２に対して交差連通空間部１３を介して交差するように配され、プレス羽根部１１に衝動力を付与する作動気体の一部が、交差連通空間部１３を介して隣設するディスクブレードＡの凹部空間１２内を移動できるように構成すると共に、交差連通空間部１３に於けるプレス羽根部１１の膨出背部１１ａを越えて回転方向前方に移動できるように構成する手段を採用した。
【０００６】
また、請求項２記載のタービン用羽根車にあっては、一種類のディスクブレードＡのプレス羽根部１１は、基板部１０の内周縁から外周縁に向って放射方向に沿うように配置する手段を採用した。
【０００７】
更に、請求項３記載のタービン用羽根車にあっては、他種類のディスクブレードＡのプレス羽根部１１は、基板部１０の内周縁から外周縁に向う放射方向を基準として、外周縁に於ける位置が回転方向で後方に変位した向きに沿うように配置する手段を採用した。
【０００８】
そして、請求項４記載のタービン用羽根車にあっては、他種類のディスクブレードＡのプレス羽根部１１は、基板部１０の内周縁から外周縁に向う放射方向を基準として、外周縁に於ける位置が回転方向で前方に変位した向きに沿うように配置する手段を採用した。
【０００９】
それから、請求項５記載のタービン用羽根車にあっては、一種類のディスクブレードＡは、基板部１０の内周縁が他種類のディスクブレードＡの内周縁より大径であること、または、他種類のディスクブレードＡは、基板部１０の内周縁が一種類のディスクブレードＡの内周縁より大径である手段を採用した。
【００１０】
加えて、請求項６記載のタービン用羽根車にあっては、一種類のディスクブレードＡは、基板部１０の外周縁が他種類のディスクブレードＡの外周縁より小径であること、または、他種類のディスクブレードＡは、基板部１０の外周縁が一種類のディスクブレードＡの外周縁より小径である手段を採用した。
【発明の効果】
【００１１】
従って、本発明の請求項１記載のタービン用羽根車によれば、プレス成型された二種類以上のディスクブレードＡを交互に複数重ねた状態でロウ付手段により固着してなる羽根車本体と、この羽根車本体が固着されるベースプレートＢと、このベースプレートＢに固定される回転軸Ｃとを備えるもので、簡素な構成で、製造し易く、小型、軽量、コンパクトに構成できるようになる。
しかも、ディスクブレードＡ自体を簡単に量産でき、コストの大幅な低減が図れるようになり、経済的なタービン用羽根車を提供できるようになる。
更に、ディスクブレードＡ自体は、その内周縁と外周縁とを適宜結ぶような複数のプレス羽根部１１を設けることで、その強度及び剛性を増すことができるようになる。加えて、プレス羽根部１１の膨出背部１１ａが、隣設するディスクブレードＡのプレス羽根部１１の凹部空間１２に対して交差するように配してロウ付手段により固着されるので、羽根車本体全体の強度及び剛性を高めることができるようになる。ひいては、ディスクブレードＡとして薄い板材を利用できるようになり、より軽量なタービン用羽根車の提供も可能となる。
そして、プレス羽根部１１は、隣設するディスクブレードＡのプレス羽根部１１の凹部空間１２に対して交差連通空間部１３を介して交差するように配されることと、羽根車本体は、二種類以上のディスクブレードＡを交互に複数重ねた状態でロウ付手段により固着されることとにより、作動気体の衝動力によって受ける力が、二種類以上のディスクブレードＡのプレス羽根部１１夫々にあってはその作用が異なるようになり、羽根車本体をバランス良く、安定して回転させることができるようになる。しかも、回転している羽根車本体のプレス羽根部１１夫々は、作動気体の吹付け向きに対して常時その向きが変化することとなるが、どのような回転位置にあっても作動気体の衝動力を比較的平均して受けられるようになり、羽根車本体に与えられる衝動力のバラつきや、ムラ等を抑制でき、羽根車本体をバランス良く、安定して回転させるのに役立つようになる。
【００１２】
特に、ディスクブレードＡは、円環板状を呈する基板部１０を有し、この基板部１０には、その内周縁と外周縁とを適宜結ぶように配されると共に、その一方の表面側に膨出して作動気体の衝動力を付与可能な細長なプレス羽根部１１を複数設け、このプレス羽根部１１の内部には、基板部１０の他方の表面側が開放状態となるような凹部空間１２が形成され、プレス羽根部１１は、その最突出稜線部分となる膨出背部１１ａが、隣設するディスクブレードＡの基板部１０の他方の表面にロウ付手段により固着されると共に、隣設するディスクブレードＡのプレス羽根部１１の凹部空間１２に対して交差連通空間部１３を介して交差するように配され、プレス羽根部１１に衝動力を付与する作動気体の一部が、交差連通空間部１３を介して隣設するディスクブレードＡの凹部空間１２内を移動できるように構成すると共に、交差連通空間部１３に於けるプレス羽根部１１の膨出背部１１ａを越えて回転方向前方に移動できるように構成したので、作動気体の衝動力に対する作用が異なる二種類以上のディスクブレードＡを適宜組合せて構成することが可能となり、作動気体の衝動力により羽根車本体全体としてバランス良く、より安定した回転力が得られるようになる。更に、その用途や目的等に応じた回転力が得られるタービン用羽根車をディスクブレードＡの組合せパターンを変えることで比較的簡単に構成できるようになる。ひいては、汎用性に優れたタービン用羽根車を簡単に且つ低コストで提供できるようになる。
加えて、プレス羽根部１１に衝動力を付与する作動気体の一部は、交差連通空間部１３を介して隣設するディスクブレードＡの凹部空間１２内を移動すると共に、交差連通空間部１３に於けるプレス羽根部１１の膨出背部１１ａを越えて回転方向前方に移動するようになり、作動気体の流路を三次元的に構成でき、作動気体の衝動力をより効率良く回転力に変換することが可能となる。
しかも、プレス羽根部１１に衝動力を付与する作動気体の一部は、交差連通空間部１３に於けるプレス羽根部１１の膨出背部１１ａを越えて回転方向前方のプレス羽根部１１の負圧面がわに移動するようになり、これがプレス羽根部１１に加えられる負圧の解消圧として作用するようになり、回転力が増すようになる。
【００１３】
また、本発明の請求項２記載のタービン用羽根車によれば、一種類のディスクブレードＡのプレス羽根部１１は、基板部１０の内周縁から外周縁に向って放射方向に沿うように配置したので、作動気体によって回転トルクを増すような割合が多い衝動力を受けることが可能なディスクブレードＡとなる。
【００１４】
更に、本発明の請求項３記載のタービン用羽根車によれば、他種類のディスクブレードＡのプレス羽根部１１は、基板部１０の内周縁から外周縁に向う放射方向を基準として、外周縁に於ける位置が回転方向で後方に変位した向きに沿うように配置したので、作動気体によって回転速度を増すような割合が多い衝動力を受けることが可能なディスクブレードＡとなる。
【００１５】
そして、本発明の請求項４記載のタービン用羽根車によれば、他種類のディスクブレードＡのプレス羽根部１１は、基板部１０の内周縁から外周縁に向う放射方向を基準として、外周縁に於ける位置が回転方向で前方に変位した向きに沿うように配置したので、作動気体によって回転速度を増すような割合が多い衝動力を受けることが可能なディスクブレードＡとなる。
【００１６】
それから、本発明の請求項５記載のタービン用羽根車によれば、一種類のディスクブレードＡは、基板部１０の内周縁が他種類のディスクブレードＡの内周縁より大径であること、または、他種類のディスクブレードＡは、基板部１０の内周縁が一種類のディスクブレードＡの内周縁より大径であることとしたので、隣設する他種類のディスクブレードＡの基板部１０の内周縁相互の空間部分に、一種類のディスクブレードＡの基板部１０の内周縁部分が存在しなくなり、または、隣設する一種類のディスクブレードＡの基板部１０の内周縁相互の空間部分に、他種類のディスクブレードＡの基板部１０の内周縁部分が存在しなくなり、この空間部分に於ける作動気体の通過抵抗が低減されるようになり、作動気体によってタービン用羽根車に与えられる回転エネルギーの損失を低減できるようになる。
【００１７】
加えて、本発明の請求項６記載のタービン用羽根車によれば、一種類のディスクブレードＡは、基板部１０の外周縁が他種類のディスクブレードＡの外周縁より小径であること、または、他種類のディスクブレードＡは、基板部１０の外周縁が一種類のディスクブレードＡの外周縁より小径であることとしたので、隣設する他種類のディスクブレードＡの基板部１０の外周縁相互の空間部分に、一種類のディスクブレードＡの基板部１０の外周縁部分が存在しなくなり、または、隣設する一種類のディスクブレードＡの基板部１０の外周縁相互の空間部分に、他種類のディスクブレードＡの基板部１０の外周縁部分が存在しなくなり、この空間部分に於ける作動気体の通過抵抗が低減されるようになり、作動気体によってタービン用羽根車に与えられる回転エネルギーの損失を低減できるようになる。
【発明を実施するための最良の形態】
【００１８】
以下、本発明を図示例に基づいて説明すると、次の通りである。
本発明は、入口３０と排出口３１とを備えた適宜ケーシングＤ内に回転自在に内装されると共に、ケーシングＤの入口３０から高速で噴出される膨張させた作動気体（例えば、熱媒体となるフロンガス等）の衝動力を複数のプレス羽根部１１が受けることにより回転し、この回転力を利用して発電機等を駆動せしめられるようにしたタービン用羽根車である。
そして、このタービン用羽根車は、プレス成型された二種類以上のディスクブレードＡを交互に複数重ねた状態でロウ付手段により固着してなる羽根車本体と、この羽根車本体が固着されるベースプレートＢと、このベースプレートＢに固定される回転軸Ｃとを備えたものである。
しかも、ディスクブレードＡは、円環板状を呈する基板部１０を有し、この基板部１０には、その内周縁と外周縁とを適宜結ぶように配されると共に、その一方の表面側に膨出して作動気体の衝動力を付与可能な細長なプレス羽根部１１を複数設け、このプレス羽根部１１の内部には、基板部１０の他方の表面側が開放状態となるような凹部空間１２が形成されている。
更に、プレス羽根部１１は、その最突出稜線部分となる膨出背部１１ａが、隣設するディスクブレードＡの基板部１０の他方の表面に固着されると共に、隣設するディスクブレードＡのプレス羽根部１１の凹部空間１２に対して交差連通空間部１３を介して交差するように配され、プレス羽根部１１に衝動力を付与する作動気体の一部が、交差連通空間部１３を介して隣設するディスクブレードＡの凹部空間１２内を移動できるように構成すると共に、交差連通空間部１３に於けるプレス羽根部１１の膨出背部１１ａを越えて回転方向前方に移動できるように構成してある。
また、一種類のディスクブレードＡのプレス羽根部１１は、基板部１０の内周縁から外周縁に向って放射方向に沿うように配置してある。
更に、他種類のディスクブレードＡのプレス羽根部１１は、基板部１０の内周縁から外周縁に向う放射方向を基準として、外周縁に於ける位置が回転方向で後方に変位した向きに沿うように配置してある。
そして、他種類のディスクブレードＡのプレス羽根部１１は、基板部１０の内周縁から外周縁に向う放射方向を基準として、外周縁に於ける位置が回転方向で前方に変位した向きに沿うように配置してある。
【実施例】
【００１９】
前記タービン用羽根車で用いられるディスクブレードＡは、例えば、比較的薄い円環板状を呈する耐食性の優れた適宜金属製（例えば、ステンレス）のディスク基板によって構成されるものである。更に、ディスク基板に多数のプレス羽根部１１を一回（或いは複数回でも良い）のプレス加工によって設けると共に、多数のプレス羽根部１１がディスク基板の一方の表面側に膨出するように構成されたものである。しかも、プレス羽根部１１は、ディスク基板の内周縁から外周縁に亙って形成されている。尚、ディスク基板のプレス加工によってプレス羽根部１１とならなかった部分が基板部１０となり、膨出されたプレス羽根部１１の内部が凹部空間１２となり、プレス羽根部１１の最突出稜線部分が膨出背部１１ａとなっている。
更に、ディスクブレードＡは、プレス羽根部１１の寸法や形状や数や配設状態や基板部１０の寸法等を変更した二種類以上のものが形成されるようになり、これらのディスクブレードＡを適宜選択すると共に、交互に適数重ねた状態で固着することにより、ディスクブレードＡの組合せパターンの異なる羽根車本体を自由に構成することができる。
【００２０】
そして、図示例のディスクブレードＡ夫々について説明すると、先ず、図３（及び図２）のディスクブレードＡ（Ａ１）は、複数（例えば、２４個）のプレス羽根部１１が、基板部１０の内周縁から外周縁に向って放射方向に沿うように配置して構成されたものである。
【００２１】
また、図４（及び図２）のディスクブレードＡ（Ａ２）は、複数（例えば、２４個）のプレス羽根部１１が、基板部１０の内周縁から外周縁に向う放射方向を基準として、外周縁に於ける位置が回転方向で前方に変異した向きに沿うように配置して（或いは、回転方向で後方に変異した向きに沿うように配置したものでも良い）構成されたものである。
【００２２】
更に、図９のディスクブレードＡ（Ａ４）は、複数（例えば、１２個）のプレス羽根部１１が、基板部１０の内周縁から外周縁に向って放射方向に沿うように配置して構成されたものである。
【００２３】
そして、図１０のディスクブレードＡ（Ａ５）は、複数（例えば、１２個）のプレス羽根部１１が、基板部１０の内周縁から外周縁に向う放射方向を基準として、外周縁に於ける位置が回転方向で前方（或いは後方でも良い）に変異した向きに沿うように配置して構成されたものである。
【００２４】
それから、図１１のディスクブレードＡ（Ａ６）は、基板部１０の内周縁が他のディスクブレードＡの内周縁より大径となり、複数（例えば、１２個）のプレス羽根部１１が、基板部１０の内周縁から外周縁に向う放射方向に沿うように配置して構成されたものである。
【００２５】
加えて、図１２のディスクブレードＡ（Ａ７）は、基板部１０の外周縁が他のディスクブレードＡの外周縁より小径となり、複数（例えば、１２個）のプレス羽根部１１が、基板部１０の内周縁から外周縁に向う放射方向に沿うように配置して構成されたものである。
【００２６】
また、前述の如きディスクブレードＡを利用して構成される羽根車本体は、二種類以上のディスクブレードＡを交互に複数重ねた状態でロウ付手段により固着して構成される。
具体的には、図５に示す羽根車本体は、前記図３のディスクブレードＡ（Ａ１）と前記図４のディスクブレードＡ（Ａ２）とを交互に重ねた状態でロウ付手段により固着して構成されたものである。更に、プレス羽根部１１の最突出稜線部分となる膨出背部１１ａが、隣設するディスクブレードＡの基板部１０の他方の表面に固着されるときに、隣設するディスクブレードＡのプレス羽根部１１の凹部空間１２に対して交差連通空間部１３を介して交差するように配され、しかも、一つのプレス羽根部１１に対して交差連通空間部１３が二箇所宛設けられるように構成されたものである。すなわち、羽根車本体全体に於ける強度、剛性が増し、耐久性の優れたものとなる。更に、交差連通空間部１３によって作動気体をより複雑に導くことができるようになり、羽根車本体により優れた（例えば、バランスが良く、効率が良く、エネルギーロスの少ない）回転力を与えられるように形成されている。
【００２７】
加えて、前記交差連通空間部１３では、プレス羽根部１１に衝動力を付与する作動気体の一部が、隣設するディスクブレードＡの凹部空間１２内を移動できるようになると共に、プレス羽根部１１の膨出背部１１ａを越えて回転方向前方に移動できるように構成されている。
【００２８】
前記ベースプレートＢは、例えば、その中央に回転軸Ｃの取付孔１５が穿設された金属製の厚肉円盤状に形成され、羽根車本体の基端面部分にロウ付手段によって固着されている。
【００２９】
図中Ｂ１は、羽根車本体の先端面部分にロウ付手段によって固着される先端プレートで、この先端プレートＢ１は、適宜金属材によって円環板状に形成され、羽根車本体の先端面部分の強度や剛性が高められるように設けられている。
【００３０】
前記回転軸Ｃは、ケーシングＤやケーシングＤに連設される発電機部分のケース等に回転自在に装着されており（図１参照）、ロス無くスムーズに回転できると共に羽根車本体を安定的に支持できるように構成されている。尚、回転軸Ｃの先端部分には雄ネジ部が形成されており、この雄ネジ部に螺着可能な取付ナット２０によって羽根車本体が回転軸Ｃに確実に且つ簡単に固定できるように構成されている。
【００３１】
前記ディスクブレードＡ相互やベースプレートＢや先端プレートＢ１を固着するロウ付手段は、例えば、ディスクブレードＡ（ステンレス製）やベースプレートＢや先端プレートＢ１より融点の低い金属バインダー材（例えば、銅やニッケル等）だけを溶解させ、これを溶融接着剤としてディスクブレードＡ相互やベースプレートＢや先端プレートＢ１を確実に固着できるような手段が採用されている。
尚、複数のディスクブレードＡを重ねた状態に固着する際は、例えば、積層されるディスクブレードＡの間にディスクブレードＡより融点の低い銅箔等のバインダー材を積層し、これらを真空中で加熱することにより、バインダー材を溶融させ、複数のディスクブレードＡ相互の接触部分（隣設するディスクブレードＡに於いて、プレス羽根部１１の膨出背部１１ａと基板部１０の他方の表面）が溶融したバインダー材によって簡単に且つ確実に真空ロウ付けできるようになる。ところで、この手段は、ベースプレートＢや先端プレートＢ１を羽根車本体に固着する際にも利用される。
【００３２】
また、図１３及び図１５に示す羽根車本体は、前記図１１のディスクブレードＡ（Ａ６）と前記図１０のディスクブレードＡ（Ａ５）とを交互に重ねた状態でロウ付手段により固着して構成されたもので、これは、ディスクブレードＡ（Ａ６）の基板部１０の内周縁がディスクブレードＡ（Ａ５）の内周縁より大径となり、隣設するディスクブレードＡ（Ａ５）の基板部１０の内周縁相互の空間部分に、ディスクブレードＡ（Ａ６）の基板部１０の内周縁部分が存在しなくなり、この空間部分に於ける作動気体の通過抵抗が低減されるように構成して、作動気体によってタービン用羽根車に与えられる回転エネルギーの損失を低減できるように形成したものである。
【００３３】
更に、図１４及び図１６に示す羽根車本体は、前記図１２のディスクブレードＡ（Ａ７）と前記図１０のディスクブレードＡ（Ａ５）とを交互に重ねた状態でロウ付手段により固着して構成されたもので、これは、ディスクブレードＡ（Ａ７）の基板部１０の外周縁がディスクブレードＡ（Ａ５）の外周縁より小径となり、隣設するディスクブレードＡ（Ａ５）の基板部１０の外周縁相互の空間部分に、ディスクブレードＡ（Ａ７）の基板部１０の外周縁部分が存在しなくなり、この空間部分に於ける作動気体の通過抵抗が低減されるように構成して、作動気体によってタービン用羽根車に与えられる回転エネルギーの損失を低減できるように形成したものである。
【００３４】
前記ケーシングＤは、例えば、作動気体が吹き込まれる入口３０と、作動気体が排出される排出口３１とを備えたものが採用される。しかも、入口３０は、ケーシングＤの外周壁部分に開口され、排出口３１は、ケーシングＤの一方の側壁部分中央に開口されている。尚、ケーシングＤの入口３０に於いて、作動気体が吹き込まれる角度等は適宜自由に設定、変更することができるものである。
【００３５】
ところで、タービン用羽根車の具体的構成、形状、寸法、材質、ディスクブレードＡ、Ａ１、Ａ２、Ａ４、Ａ５、Ａ６、Ａ７の具体的構成、形状、寸法、材質、数、組合せ、基板部１０の具体的構成、形状、寸法、プレス羽根部１１の具体的構成、形状、寸法、配設位置、数、膨出背部１１ａの具体的形状、寸法、配設位置、凹部空間１２の具体的構成、形状、寸法、交差連通空間部１３の具体的構成、形状、寸法、配設位置、数、ベースプレートＢの具体的構成、形状、寸法、材質、取付孔１５の具体的構成、形状、寸法、配設位置、先端プレートＢ１の具体的構成、形状、寸法、材質、配設位置、回転軸Ｃの具体的構成、形状、寸法、材質、取付ナット２０の具体的構成、形状、寸法、材質、ケーシングＤの具体的構成、形状、寸法、材質、入口３０の具体的構成、形状、寸法、数、配設位置、排出口３１の具体的構成、形状、寸法、配設位置等は図示例のもの等に限定されることなく適宜自由に設定、変更できるものである。
【００３６】
本発明のタービン用羽根車は、前述の如く構成されており、例えば、ケーシングＤの入口３０から膨張させた適宜作動気体を高速で噴出せしめることにより、作動気体の衝動力が複数のプレス羽根部１１に作用してタービン用羽根車に回転力を発生させ、この回転力によって発電機等を駆動せしめられるように利用している。
しかしながら、本発明のタービン用羽根車は、前述のような使用例だけに限定されるものではなく、例えば、タービン用羽根車の回転軸Ｃにモーター等の適宜原動機を連結し、この原動機の回転力によってタービン用羽根車を強制回転せしめられるように形成して、遠心送風機の羽根車や、ポンプの羽根車としても利用することが可能なものである。
【図面の簡単な説明】
【００３７】
【図１】本発明のタービン用羽根車をケーシングに組込んだ状態を例示する一部切欠概略側面図である。
【図２】本発明のタービン用羽根車を例示する一部を省略した部分分解斜視図である。
【図３】本発明のタービン用羽根車のディスクブレードを例示する正面図である。
【図４】本発明のタービン用羽根車の他のディスクブレードを例示する正面図である。
【図５】本発明のタービン用羽根車の羽根車本体を例示する概略正面図である。
【図６】本発明のタービン用羽根車を例示する一部省略側断面図である。
【図７】本発明のタービン用羽根車の交差連通空間部を例示する部分概略正面図である。
【図８】本発明のタービン用羽根車の部分端面図を示し、（Ｉ）は交差連通空間部での部分端面図、（ＩＩ）は交差連通空間部以外での部分端面図である。
【図９】本発明のタービン用羽根車の他のディスクブレードを例示する正面図である。
【図１０】本発明のタービン用羽根車の他のディスクブレードを例示する正面図である。
【図１１】本発明のタービン用羽根車の他のディスクブレードを例示する正面図である。
【図１２】本発明のタービン用羽根車の他のディスクブレードを例示する正面図である。
【図１３】本発明の他のタービン用羽根車の羽根車本体を例示する概略正面図である。
【図１４】本発明の他のタービン用羽根車の羽根車本体を例示する概略正面図である。
【図１５】本発明の他のタービン用羽根車の一部を例示する概略側断面図である。
【図１６】本発明の他のタービン用羽根車の一部を例示する概略側断面図である。
【符号の説明】
【００３８】
Ａ      ディスクブレード
Ａ１    ディスクブレード
Ａ２    ディスクブレード
Ａ４    ディスクブレード
Ａ５    ディスクブレード
Ａ６    ディスクブレード
Ａ７    ディスクブレード
１０    基板部
１１    膨出羽根部
１１ａ  膨出背部
１２    凹部空間
１３    交差連通空間部１３
Ｂ      ベースプレート
Ｂ１    先端プレート
１５    取付孔
Ｃ      回転軸
２０    取付ナット
Ｄ      ケーシング
３０    入口
３１    排出口